(57)【要約】【課題】この発明は、モップに組み合わせ、コンビニエンスストアなど、特に食品を販売する店舗において、店舗内を頻繁に清掃する清掃用クロスの提供にある。【解決手段】ポリエステル繊維とポリエステルスパンボンドをニードルパンチ法よる機械的結合法でシート状に成形し、これを所定長さ毎にミシン目を入れると共に、所要幅に裁断し、ロール状に巻回してロール状巻回清掃用クロスを構成し、このロール状巻回清掃用クロスを一ロール毎に気密性包装袋に気密に収容すると共に気密性包装袋にバーコードラベルを添着し、その所要個数を段ボールケースに梱包収容してなる。【選択図】        図１
2004329500.tif 000002
【特許請求の範囲】
【請求項１】
合成樹脂繊維と合成樹脂スパンボンドをニードルパンチ法による機械的結合法でシート状に成形し、これを所定長さ毎にミシン目を入れると共に、所要幅に裁断し、ロール状に巻回してなるロール状巻回清掃用クロス。
【請求項２】
ポリエステル繊維とポリエステルスパンボンドをニードルパンチ法による機械的結合法でシート状に成形し、これを所定長さ毎にミシン目を入れると共に、所要幅に裁断し、ロール状に巻回してなるロール状巻回清掃用クロス。
【請求項３】
合成樹脂繊維のロール状巻回清掃用クロスを一ロール毎に気密性包装袋に気密に収容すると共にその気密性包装袋にバーコードラベルを添着し、その所要個数を段ボールケースに収容梱包してなるロール状巻回清掃用クロスの梱包収容方法。
【発明の詳細な説明】
【０００１】
【発明が属する技術分野】
この発明は、ミシン目より切断し、そのまま手拭き用あるいはモップに組み合わせ、コンビニエンスストアなど、特に食品を販売する店舗において、店舗内を頻繁に清掃するロール状巻回清掃用クロスに関するものである。
【０００２】
【従来の技術】
従来、手拭き用あるいは床面の乾式清掃に供せられる清掃用クロスは、手拭き用として、また、モップに適合した方形に裁断され、箱体に積重して収容され、その上方から一枚、一枚と引き出されて使用されるものである。
【０００３】
【発明が解決しようとする課題】
前記のように、従来の清掃用クロスは、箱体に積重して収容されるから、一枚を引き出そうとするとき、隣り合う清掃用クロスが接合し、一度に多数枚が引き出され、また、一枚に剥し難く、モップへのセットも面倒であった。
【０００４】
また、清掃用クロスは、吸湿性が高く保管時において吸湿し、時間の経過と共にゴミの捕集性能を低下させるものであり、新品時の補集性能を維持させることが必要であった。
【０００５】
この発明はかかる欠点を改善し、清掃用クロスを容易に取り出すことができ、また、モップ等に容易にセットが行え、また、清掃用クロスの性能を維持しての保管、管理が面倒なく行える収容梱包方法の提供することを目的になされたものである。
【０００６】
【課題を解決するための手段】
合成樹脂繊維と合成樹脂スパンボンドをニードルパンチ法による機械的結合法でシート状に成形し、これを所定長さ毎にミシン目を入れると共に、所要幅に裁断し、ロール状に巻回してなるロール状巻回清掃用クロスある。
【０００７】
ポリエステル繊維とポリエステルスパンボンドをニードルパンチ法よる機械的結合法でシート状に成形し、これを所定長さ毎にミシン目を入れると共に、所要幅に裁断し、ロール状に巻回してなるロール状巻回清掃用クロスにある。
【０００８】
合成樹脂繊維のロール状巻回清掃用クロスを一ロール毎に気密性包装袋に気密に収容すると共にその気密性包装袋にバーコードラベルを添着し、その所要個数を段ボールケースに収容梱包してなるロール状巻回清掃用クロスの梱包収容方法にある。
【０００９】
【発明の実施の形態】
ポリエステル繊維とポリエステルスパンボンドをニードルパンチ法よる機械的結合法でシート状に成形し、これを所定長さ毎にミシン目を入れると共に、所要幅に裁断し、ロール状に巻回してロール状巻回清掃用クロスを構成し、このロール状巻回清掃用クロスを一ロール毎にポリ袋に収容すると共にポリ袋の口にバーコードラベルを貼着して封印し、その所要個数を段ボールケースに梱包収容してなる。
【００１０】
【実施例】
以下、この発明のロール状巻回清掃クロス１を実施例である図面により説明すると、合成樹脂繊維として、ポリエステル繊維とポリエステルスパンボンドをニードルパンチ法よる機械的結合法でシート状に成形したが、素材は、前記ポリエステル繊維に限定されず、ポリプロピレン、ナイロン等で構成してもよいものである。前記シート状不織布を、例えば、長さ６５０ｍｍ毎にミシン目２を入れると共に、幅２００ｍｍに裁断し、厚み０．９ｍｍ、長さ６５ｍをロール状に巻回してロール状巻回清掃クロス１を製造してなるものである。なお、前記寸法数字は、不織布である点から一定の誤差を有するものである。
【００１１】
前記ロール状巻回清掃用クロス１を、一ロール毎に気密性包装袋、例えば、ポリ袋３に収容した後、ポリ袋３にバーコードラベル４を貼着してポリ袋３の袋口を封印し、その所要個数（図示実施例では２個であるが１２個まで収容できる）を段ボールケース５に収容して梱包できる。図示しないが、前記ポリ袋３の袋口にバーコードラベル４を貼着すると、バーコードラベル４の貼着と封印とが同時に行える。
【００１２】
この発明のロール状巻回清掃用クロス１は、前述のように構成されるから、ポリ袋３に密封されて段ボールに梱包されて配達され、そのまま気密に保管することができ、次に、使用時においても、使用するロール状巻回清掃用クロス１の一個のみを開放し、先端からそのミシン目２より簡単に切断して、順次、手拭き用に、また、モップと組み合わせて使用することができるものである。
【００１３】
【発明の効果】
この発明のロール状巻回清掃用クロスは、以上のように、個別に包装されるから、輸送時および保管時の気密性が確保される。
【００１４】
また、気密性包装袋にはバーコードラベルが貼着されているので開封するとき、読み取ることによって保管管理が行え、残存個数が把握されて補充購入を自動的に行えるものである。
【００１５】
また、この発明のロール状巻回清掃用クロスは、ロール状に巻回され、かつ、ミシン目が一定間隔で入っているから、先端から必要とする長さのものを容易に切断することができ、そして、そのまま手拭き用に、また、モップと組み合わせて使用することができるものである。
【００１６】
また、この発明のロール状巻回清掃用クロスは、ポリエステル繊維とポリエステルスパンボンド等をニードルパンチ法よる機械的結合法でシート状に成形した合成樹脂繊維不織布としているから、ゴミくず、人毛、その他微細ゴミの捕集に優れ、また、空拭きにより磨き効果も奏するものである。
【００１７】
よって、この発明のロール状巻回清掃用クロスは、コンビニエンスストアなど、清潔を旨とする店舗において、店舗内を極めて無駄なく便利に清掃することができ、また、清掃用クロスを使い捨てにすることにより作業能率の向上を一層に奏し、その補充も自動化が図れるものである。
【図面の簡単な説明】
【図１】この発明のロール状巻回清掃用クロスの先端を引き出し、ミシン目を入れた状態を示す斜視図である。
【図２】この発明のロール状巻回清掃用クロスを気密性包装袋に収容した状態の外観斜視図である。
【図３】この発明のロール状巻回清掃用クロスを気密性包装袋に気密に収容し、その数個を段ボール函に収容した状態を示す斜視図である。
【符号の説明】
１  ロール状巻回清掃用クロス
２  ミシン目
３  ポリ袋
４  バーコードラベル
５  段ボールケース
【図１】
2004329500.tif 000003
【図２】
2004329500.tif 000004
【図３】
2004329500.tif 000005